(57)【要約】【課題】生コンクリートの付着を防止しつつ運搬中におけるミキサドラム内の生コンクリートの温度を測定可能な生コンクリート温度測定装置を提供する。【解決手段】ミキサ車１０に回転可能に搭載されるミキサドラム２内の生コンクリートの温度を測定する生コンクリート温度測定装置１００であって、ミキサドラム２の壁部に少なくとも一部が埋め込まれ生コンクリートと接触して生コンクリートの温度を測定する温度センサ３０を備える。【選択図】図４
2017087443.tif 000002
【特許請求の範囲】
【請求項１】
ミキサ車に回転可能に搭載されるミキサドラム内の生コンクリートの温度を測定する生コンクリート温度測定装置であって、
前記ミキサドラムの壁部に少なくとも一部が埋め込まれ生コンクリートと接触して生コンクリートの温度を測定する温度測定部を備えることを特徴とする生コンクリート温度測定装置。
【請求項２】
前記ミキサドラムの前記壁部は、前記ミキサドラムの内側に回転軸に沿って螺旋状に形成されるブレードを有し、
前記温度測定部は、前記ブレードに設けられることを特徴とする請求項１に記載の生コンクリート温度測定装置。
【請求項３】
前記ミキサドラムの回転軸に設けられ前記温度測定部に電力を供給するスリップリングをさらに備えることを特徴とする請求項１または２に記載の生コンクリート温度測定装置。
【請求項４】
前記ミキサドラム内に設けられ前記温度測定部の測定結果を無線信号によって送信する送信機と、
前記ミキサドラム外に設けられ前記送信機から送信される前記無線信号を受信する受信機と、をさらに備えることを特徴とする請求項１または２に記載の生コンクリート温度測定装置。
【請求項５】
請求項１から４のいずれか一つに記載の生コンクリート温度測定装置を備えることを特徴とするミキサ車。
【発明の詳細な説明】
【技術分野】
【０００１】
本発明は、ミキサドラム内の生コンクリートの温度を測定する温度測定装置及びこれを備えるミキサ車に関するものである。
【背景技術】
【０００２】
ミキサ車は、いわゆる生コンクリートであるレディミクストコンクリートを内容物として積載可能なミキサドラムを備え、生コンクリートを打設現場へと運搬する。
【０００３】
ミキサ車によって生コンクリートが運搬される際に生コンクリートの温度が高くなると、スランプのロスが増加するなど生コンクリートに悪影響がある。このため、ミキサ車による生コンクリートの運搬時に、生コンクリートの温度を管理することが望まれる。
【０００４】
特許文献１には、ドラムの内壁に固定されるセンサ部を有するミキサ車が開示されている。特許文献１に開示のミキサ車では、センサ部として熱電対温度計などの温度センサを使用し、ドラムの内壁から突出するセンサ部が生コンクリートと接触することにより、生コンクリートの温度を測定する。
【先行技術文献】
【特許文献】
【０００５】
【特許文献１】特開２００８−４９４９９号公報
【発明の概要】
【発明が解決しようとする課題】
【０００６】
特許文献１に開示のミキサ車では、ミキサドラムの内壁からセンサ部が突出しているため、センサ部周辺には生コンクリートが付着しやすい。センサ部に多量の生コンクリートが付着すると、生コンクリートの温度測定の精度が低下するため、付着した生コンクリートは除去する必要がある。
【０００７】
このように、ミキサドラムの内壁から突出するセンサ部を設けると、ミキサドラムの内壁面などにおいて付着した生コンクリートを除去する作業に加え、センサ部に付着した生コンクリートの除去作業を必要とする。したがって、特許文献１に開示のミキサ車では、ミキサドラム内部における生コンクリートの除去作業が多くなる。
【０００８】
本発明は、上記の問題点に鑑みてなされたものであり、生コンクリートの付着を防止しつつ運搬中におけるミキサドラム内の生コンクリートの温度を測定することが可能な生コンクリート温度測定装置を提供することを目的とする。
【課題を解決するための手段】
【０００９】
第１の発明は、ミキサドラム内の生コンクリートの温度を測定する生コンクリート温度測定装置であって、ミキサドラムの壁部に少なくとも一部が埋め込まれ生コンクリートと接触して生コンクリートの温度を測定する温度測定部を備えることを特徴とする。
【００１０】
第１の発明では、温度測定部が、ミキサドラム内の壁部に少なくともその一部が埋め込まれるものであるため、ミキサドラム内部への突出量が低減される。よって、温度測定部周辺に付着する生コンクリートの量が低減される。
【００１１】
第２の発明は、ミキサドラムの壁部が、ミキサドラムの内側に回転軸に沿って螺旋状に形成されるブレードを有し、温度測定部が、ブレードに設けられることを特徴とする。
【００１２】
第２の発明では、温度測定部が、ミキサドラムの内側に設けられるブレードに設けられるため、外気や日光の影響を受けにくい。
【００１３】
第２の発明によれば、外気等の影響を受けずに生コンクリートの温度を正確に測定することができる。
【００１４】
第３の発明は、ミキサドラムの回転軸に設けられ温度測定部に電力を供給するスリップリングをさらに備えることを特徴とする。
【００１５】
第３の発明では、回転体に電力を供給可能なスリップリングによって温度測定部に電力が供給される。
【００１６】
第４の発明は、ミキサドラム内に設けられ温度測定部の測定結果を無線信号によって送信する送信機と、ミキサドラム外に設けられ送信機から送信される無線信号を受信する受信機と、をさらに備えることを特徴とする。
【００１７】
第４の発明では、温度測定部の測定結果が、送信機と受信機との間で無線信号として送信される。
【００１８】
第４の発明によれば、温度測定部の測定結果を送信するために配線を引き回す必要がないため、生コンクリート温度測定装置を容易にミキサ車に取り付けることができる。
【００１９】
第５の発明は、ミキサ車であって、第１から第４の発明のいずれか一つの生コンクリート温度測定装置を備えることを特徴とする。
【発明の効果】
【００２０】
本発明によれば、生コンクリートの付着助長することなく運搬中におけるミキサドラム内の生コンクリートの温度を測定することができる。
【図面の簡単な説明】
【００２１】
【図１】本発明の第１実施形態に係る生コンクリート温度測定装置を搭載したミキサ車の側面図である。
【図２】本発明の第１実施形態に係る生コンクリート温度測定装置を示す概略図である。
【図３】図１におけるＡ矢視図である。
【図４】図３におけるＢ-Ｂ線に沿った断面図である。
【図５】本発明の第１実施形態に係る生コンクリート温度測定装置の変形例を示す概略図である。
【図６】本発明の第２実施形態に係る生コンクリート温度測定装置を示す概略図である。
【発明を実施するための形態】
【００２２】
（第１実施形態）
以下、図面を参照して、本発明の第１実施形態に係る生コンクリート温度測定装置１００について説明する。
【００２３】
まず、図１及び図２を参照して、生コンクリート温度測定装置１００を備えるミキサ車１０の全体構成について説明する。なお、図２は、ミキサドラムに生コンクリートが投入されていない状態を表す。
【００２４】
ミキサ車１０は、いわゆる生コンクリートであるレディミクストコンクリート（以下、「生コン」と称する。）を架台１に搭載されたミキサドラム２にて運搬するものである。
【００２５】
図１に示すように、ミキサドラム２は、架台１に回転可能に搭載される容器である。ミキサドラム２は、回転軸２Ａがミキサ車１０の前後方向を向くように搭載される。また、ミキサドラム２は、架台１の後部に向かって徐々に高くなるように、前後に傾斜して搭載される。
【００２６】
ミキサドラム２には、内壁２Ｂから突出し回転軸２Ａに沿って螺旋状に延びる一対のブレード３，４が設けられる。
【００２７】
ミキサドラム２の後端には開口部２Ｃが形成され、開口部２Ｃから生コンの投入と排出とが行われる。ミキサドラム２の開口部２Ｃの上方には、生コンを投入するためのホッパー５が設けられる。
【００２８】
図２に示すように、ミキサドラム２の底部には、ミキサドラム２の壁部の一部を構成するインナーガセット２０が設けられる。
【００２９】
インナーガセット２０は、鉄製の板部材であり、ミキサドラム２における底部の内壁２Ｂから内側に突出して設けられる。インナーガセット２０は、生コンと接触すると共に、ミキサドラム２の底部の壁部である底壁部２Ｄとの間で外気から遮断された内部空間２１を区画する。生コンは、インナーガセット２０に接触し、内部空間２１内には流入しない。
【００３０】
ミキサドラム２における底壁部２Ｄの外側には、鉄製の板部材であるアウターガセット２２が設けられる。アウターガセット２２は、ミキサドラム２の底壁部２Ｄとの間で底部空間２３を区画する。ミキサドラム２にインナーガセット２０とアウターガセット２２とが設けられることにより、ミキサドラム２の底部の強度が向上する。なお、ミキサドラム２には、アウターガセット２２が設けられなくてもよい。この場合であっても、例えばミキサドラム２の底部からのインナーガセット２０の突出量を大きくするなどインナーガセット２０の剛性をより大きくすることにより、ミキサドラム２の底部の強度を向上させることができる。
【００３１】
ミキサドラム２は、ミキサ車１０に搭載される走行用エンジン（図示省略）を動力源として駆動し、ミキサドラム２の回転軸２Ａに連結されるドラム駆動装置６（図１参照）によって正逆転及び増減速する。ドラム駆動装置６は、コントローラ３５（図２参照）からの指令やコントロールレバー（図示省略）からのによって、ミキサドラム２の回転を制御する。ドラム駆動装置６によってミキサドラム２が正転運転される時には、ミキサドラム２内の生コンがブレード３，４によって攪拌される。また、ミキサドラム２が逆転運転される時には、ミキサドラム２内の生コンがブレード３，４によって開口部２Ｃ側へ送られ外部へと排出される。なお、ミキサドラム２を駆動する動力源は走行用エンジンに限らず、例えば、ミキサドラム２を駆動するためのエンジン等の動力源を別に設けてもよい。
【００３２】
次に、図１から図４を参照して、ミキサドラム２内の生コンの温度を測定する生コンクリート温度測定装置１００ついて説明する。
【００３３】
生コンクリート温度測定装置１００は、図１及び図２に示すように、生コンが接触するミキサドラム２の壁部としてのブレード３に設けられる温度測定部としての温度センサ３０と、ミキサドラム２の回転軸２Ａに設けられ温度センサ３０に電力を供給するスリップリング３１と、を備える。
【００３４】
温度センサ３０は、シート状の熱電対である。図３及び図４に示すように、温度センサ３０は、ブレード３に形成される切欠き３Ａに埋め込まれて設けられる。図４に示すように、温度センサ３０は、切欠き３Ａに充填される樹脂材４０によって、ミキサドラム２に投入される生コンに接触するようにブレード３に固定される。具体的には、温度センサ３０は、ブレード３の表面からミキサドラム２の内側の収容空間７に向かって突出しないように、樹脂材４０とブレード３の表面とに連続するように設けられる。つまり、温度センサ３０は、樹脂材４０によって覆われるものではなく、ミキサドラム２の収容空間７に臨んで、生コンと接触する。このように、温度センサ３０がブレード３からミキサドラム２の収容空間７に向かって突出しないため、生コンの温度センサ３０への付着が防止される。
【００３５】
また、温度センサ３０は、車両の前方側であるミキサドラム２の底部側のブレード３に設けられる（図１参照）。ミキサドラム２の底部側のブレード３は、ミキサドラム２内の生コン量が少ない場合でも生コンと接触する。このため、底部側のブレード３に温度センサ３０が設けられることにより、ミキサドラム２内の生コン量が少ない場合でも生コンの温度を測定することができる。つまり、温度センサ３０は、ミキサドラム２内の最も低い位置であり、生コンが溜まる領域Ｒ内のブレード３に設けられる。
【００３６】
また、ミキサドラム２の内壁２Ｂは、外気や日光の影響によって温度が変化することがある。これに対し、ブレード３は、ミキサドラム２の内壁２Ｂから収容空間７に向かって設けられるため、外気や日光の影響を受けにくい。よって、温度センサ３０がブレード３に設けられることにより、外気等の影響を受けずに生コンの温度を正確に測定することができる。
【００３７】
スリップリング３１は、回転体に対して電力供給を行うと共に、回転体との間で信号伝達を行う。図２に示すように、スリップリング３１は、ミキサドラム２の回転軸２Ａに設けられる中空管３２に連結される。スリップリング３１は、中空管３２内を通る配線３３によって、温度センサ３０と電気的に接続される。
【００３８】
また、スリップリング３１は、ミキサ車１０に搭載されるバッテリー３４及びコントローラ３５に電気的に接続される。コントローラ３５は、温度センサ３０の測定結果を記憶、演算する。スリップリング３１は、ブレード３に設けられた温度センサ３０に対してバッテリー３４からの電力を供給する。また、スリップリング３１は、温度センサ３０から温度測定結果を受信してコントローラ３５へ送信する。
【００３９】
次に、生コンクリート温度測定装置１００の温度測定方法について説明する。
【００４０】
生コンの出荷時には、予めエンジンを始動してミキサドラム２を回転させ、回転するミキサドラム２内にホッパー５を通じて所定量の生コンが投入される。ミキサドラム２が回転すると、ブレード３，４によって生コンはミキサドラム２内で撹拌される。ミキサ車１０では、生コンを撹拌するために走行中においてもミキサドラム２が回転する。
【００４１】
ミキサドラム２の回転に伴いブレード３，４が生コンを撹拌し、ブレード３に設けられる温度センサ３０が生コンに接触する。温度センサ３０は、接触する生コンの温度を所定の測定周期で測定する。温度センサ３０は、ブレード３からミキサドラム２の収容空間７へ向かって突出しないようにブレード３に埋め込まれて設けられる。したがって、生コンが温度センサ３０に付着することが防止される。
【００４２】
なお、温度センサ３０への生コンの付着を防止するためには、温度センサ３０はミキサドラム２の収容空間７へ向かって突出しないことが望ましいが、温度センサ３０の少なくとも一部がブレード３に埋め込まれるものでもよい。温度センサ３０の少なくとも一部がブレード３に埋め込まれることにより、収容空間７への突出量は低減され、生コンの付着量を低減することができる。このように、温度センサ３０は、生コンと接触する壁部に少なくとも一部が埋め込まれて設けられ、生コンに直接接触して温度を測定するものであればよい。
【００４３】
生コンクリート温度測定装置１００は、回転体に電力を供給可能なスリップリング３１を備えるため、ミキサ車１０が走行中であってミキサドラム２が回転していても、温度センサ３０に電力を供給することができ、生コンの温度を測定することができる。
【００４４】
温度センサ３０が測定した測定結果は、スリップリング３１を通じてコントローラ３５に送信されて記憶される。コントローラ３５に送信された測定結果は、例えば運転席内に設けられる表示器に送信され、表示器に測定結果である生コンの温度が表示される。したがって、生コンクリート温度測定装置１００によれば、走行中のミキサ車１０における生コンの温度を把握することができる。
【００４５】
なお、ミキサ車１０は、必ずしも表示器を備えていなくてもよい。例えば、温度センサ３０の温度測定結果は、コントローラ３５へ記憶され、コントローラ３５からミキサ車１０の運搬状況を確認する管理センターなどに無線送信されて、管理センターにおいて生コンの温度情報を確認してもよい。また、温度測定結果は、ミキサ車１０の走行中にはコントローラ３５への記憶のみが行われ、停車時に作業者によって管理センターに送信されてもよい。つまり、生コンクリート温度測定装置１００は、走行中において常に生コンの温度を確認できるものでなくてもよく、運搬途中において温度センサ３０が測定した生コンの温度を取得して作業者が確認できるものであればよい。
【００４６】
以上のように、温度センサ３０は、ブレード３に埋め込まれミキサドラム２の回転に伴い生コンと直接接触して、生コンの温度を測定する。
【００４７】
以上の第１実施形態によれば、以下に示す効果を奏する。
【００４８】
生コンクリート温度測定装置１００によれば、温度センサ３０が、ミキサドラム２内のブレード３に埋め込まれ、ミキサドラム２の内部へ突出しない。よって、温度センサ３０の周辺に付着する生コンの量が低減される。したがって、生コンの付着を防止しつつ運搬中におけるミキサドラム２内の生コンの温度を測定することができる。
【００４９】
また、温度センサ３０は、ミキサドラム２の内壁から設けられるブレード３に設けられる。このため、ブレード３は、内壁２Ｂと比較して、外気や日光の影響を受けにくい。よって、温度センサ３０がブレード３に設けられることにより、外気等の影響を受けず、温度測定の精度を向上させることができる。
【００５０】
また、温度センサ３０は、ミキサドラム２内の高さが最も低い領域Ｒ内におけるブレード３に設けられる。このため、ミキサドラム２内の生コン量が少ない場合でも生コンの温度を測定することができる。
【００５１】
次に、図５を参照して、生コンクリート温度測定装置１００の変形例について、説明する。
【００５２】
上記第１実施形態では、生コンクリート温度測定装置１００では、スリップリング３１を通じて温度センサ３０に電力が供給され、温度センサ３０の測定結果はスリップリング３１を通じてコントローラ３５に送信される。
【００５３】
これに代えて、生コンクリート温度測定装置１００は、図５に示すように、温度センサ３０の検出結果を無線信号によって送信する送信機５０と、送信機５０から送信される無線信号を受信してコントローラ３５に送信する受信機５１と、温度センサ３０と送信機５０とに電力を供給する測定用バッテリー５２と、を備え、スリップリング３１を使用せずに、生コンの温度を測定してもよい。
【００５４】
送信機５０は、ミキサドラム２の内部であるアウターガセット２２とミキサドラム２の底壁部２Ｄとの間の底部空間２３内に設けられる。送信機５０は、配線５３によって温度センサ３０に電気的に接続され、温度センサ３０から測定結果を受信する。送信機５０は、受信した測定結果を無線信号として送信する。
【００５５】
受信機５１は、ミキサドラム２の外部に設けられ、送信機５０から無線信号として送信された温度センサ３０の測定結果を受信して、コントローラ３５に送信する。
【００５６】
このような変形例では、温度センサ３０の測定結果は、送信機５０から無線信号として送信され受信機５１を介してコントローラ３５に入力される。したがって、中空管３２内を通して配線３３を引き回す必要がないため、容易にミキサ車１０に取り付けることができる。
【００５７】
また、中空管３２内を通じて配線３３を引き回す必要がないため、中空管３２と配線３３との接触により配線３３が損傷して温度センサ３０による生コンの温度測定が不能になることもない。よって、配線３３の損傷を防止する対策などが不要になり、コストを低減できると共にミキサ車１０への取付性がさらに向上する。
【００５８】
また、上記第１実施形態では、温度センサ３０は、ブレード３に設けられるが、ブレード４に設けられてもよい。
【００５９】
また、温度センサ３０は、ミキサドラム２の壁部に複数設けられてもよい。例えば、ブレード３に複数の温度センサ３０が設けられてもよいし、ブレード３とブレード４との両方に温度センサ３０が設けられてもよい。ミキサドラム２に複数の温度センサ３０が設けられることにより、例えば、それぞれの温度センサ３０の測定結果を平均した値を算出して、温度測定の精度を向上させることができる。
【００６０】
（第２実施形態）
次に、図６を参照して本発明の第２実施形態に係る生コンクリート温度測定装置２００について説明する。以下では、上記第１実施形態と異なる点を中心に説明し、上記第１実施形態の生コンクリート温度測定装置１００と同一の構成には同一の符号を付して説明を省略する。
【００６１】
上記第１実施形態では、温度センサ３０は、ブレード３に埋め込まれて設けられる。これに代えて、温度センサ１３０は、ミキサドラム２の底部の内壁２Ｂから突出して設けられるインナーガセット２０に埋め込まれ、ミキサドラム２の収容空間７に臨んで設けられる。
【００６２】
図６に示すように、温度センサ１３０は、ミキサドラム２の中心から離れてインナーガセット２０の径方向外側に埋め込まれて設けられる。インナーガセット２０は、ブレード３、４と同様に、ミキサドラム２の内壁２Ｂから収容空間７に向かって設けられるものであり、外気と直接触れないため、外気の影響を受けにくい。
【００６３】
生コンクリート温度測定装置２００では、スリップリング３１を通じて温度センサ１３０に電力が供給され、温度センサ１３０の測定結果はスリップリング３１を通じてコントローラ３５に送信される。生コンクリート温度測定装置２００は、第１実施形態と同様に、送信機５０、受信機５１、及び測定用バッテリー５２を備え、スリップリング３１を使用せずに、生コンの温度を測定してもよい。
【００６４】
温度センサ１３０は、インナーガセット２０に複数設けられてもよい。また、ブレード３、４とインナーガセット２０との両方に温度センサ１３０が設けられてもよい。
【００６５】
以上の第２実施形態によれば、以下に示す効果を奏する。
【００６６】
生コンクリート温度測定装置２００によれば、温度センサ１３０が、ミキサドラム２の内壁２Ｂから設けられるインナーガセット２０に埋め込まれ、ミキサドラム２の内部へ突出しない。したがって、温度センサ１３０の周辺に付着する生コンの量が低減され、生コンの付着を防止しつつ運搬中におけるミキサドラム２内の生コンの温度を測定することができる。
【００６７】
また、インナーガセット２０は、外気には直接触れないため、ミキサドラム２の内壁２Ｂと比較して、外気や日光の影響を受けにくい。よって、温度センサ１３０がインナーガセット２０に設けられることにより、外気等の影響を受けず、温度測定の精度を向上させることができる。
【００６８】
また、温度センサ１３０は、インナーガセット２０の径方向外側に設けられる。これにより、ミキサドラム２内に投入する生コンの量が少ない場合であっても、生コンと接触して生コンの温度を測定することができる。
【００６９】
以下、本発明の実施形態の構成、作用、及び効果をまとめて説明する。
【００７０】
生コンクリート温度測定装置１００，２００は、ミキサ車１０に回転可能に搭載されるミキサドラム２内の生コンの温度を測定する生コンクリート温度測定装置であって、ミキサドラム２の壁部（ブレード３，インナーガセット２０）に少なくとも一部が埋め込まれ生コンと接触して生コンの温度を測定する温度センサ３０，１３０を備える。
【００７１】
この構成では、温度センサ３０，１３０が、ミキサドラム２内の壁部（ブレード３，インナーガセット２０）に少なくともその一部が埋め込まれるものであるため、ミキサドラム２内部への突出量が低減される。よって、温度センサ３０，１３０周辺に付着する生コンの量が低減される。
【００７２】
この構成によれば、生コンの付着を防止しつつ運搬中におけるミキサドラム２内の生コンの温度を測定することができる。
【００７３】
生コンクリート温度測定装置１００は、ミキサドラム２の壁部が、ミキサドラム２の内側に回転軸２Ａに沿って螺旋状に形成されるブレード３を有し、温度センサ３０が、ブレード３に設けられる。
【００７４】
この構成では、温度センサ３０が、ミキサドラム２の内側に設けられるブレード３に設けられるため、外気や日光の影響を受けにくい。
【００７５】
この構成によれば、外気等の影響を受けずに生コンの温度を正確に測定することができる。
【００７６】
また、生コンクリート温度測定装置１００，２００は、ミキサドラム２の回転軸２Ａに設けられ温度センサ３０，１３０に電力を供給するスリップリング３１をさらに備える。
【００７７】
この構成では、回転体に電力を供給可能なスリップリング３１によって温度センサ３０に電力が供給される。
【００７８】
また、生コンクリート温度測定装置１００，２００は、ミキサドラム２内に設けられ温度センサ３０，１３０の測定結果を無線信号によって送信する送信機５０と、ミキサドラム２外に設けられ送信機５０から送信される無線信号を受信する受信機５１と、を備えてもよい。
【００７９】
この構成では、温度センサ３０，１３０の測定結果が、送信機５０と受信機５１との間で無線信号として送信される。
【００８０】
この構成によれば、温度センサ３０，１３０の測定結果を送信するために配線３３を引き回す必要がないため、生コンクリート温度測定装置１００，２００を容易にミキサ車１０に取り付けることができる。
【００８１】
ミキサ車１０は、上記構成のいずれか一つの生コンクリート温度測定装置を備える。
【００８２】
以上、本発明の実施形態について説明したが、上記実施形態は本発明の適用例の一部を示したに過ぎず、本発明の技術的範囲を上記実施形態の具体的構成に限定する趣旨ではない。
【００８３】
上記各実施形態では、温度センサ３０，１３０は、ミキサドラム２の内壁２Ｂから内側に突出して設けられ、外気の影響を受けにくい内壁部として少なくとも温度センサ３０，１３０の温度測定側と反対側の壁部が外気に直接触れないブレード３，４やインナーガセット２０に設けられる。生コンの温度を正確に測定するためには、温度センサ３０，１３０は内壁部としてのブレード３，４やインナーガセット２０に設けられることが望ましい。しかしながら、ミキサドラム２の収容空間７に向かって突出しないようにミキサドラム２の壁部に埋め込まれ、生コンと接触し生コンの温度を測定できるものであれば、ブレード３，４やインナーガセット２０以外の壁部に設けられてもよい。つまり、外気や日光の影響をうけるようなミキサドラム２の内壁２Ｂに温度センサ３０を設けてもよい。この場合には、ミキサドラム２の外側から温度センサ３０の周辺を覆うカバーを設け、外気等の影響を抑制することが望ましい。
【００８４】
上記各実施形態では、温度センサ３０，１３０は、シート状の熱電対である。これに代えて、例えばサーミスタなどその他の温度センサを使用してもよい。
【符号の説明】
【００８５】
１００，２００…生コンクリート温度測定装置、１０…ミキサ車、２…ミキサドラム、
２Ａ…回転軸、３，４…ブレード（壁部）、３０，１３０…温度センサ（温度測定部）、３１…スリップリング、５０…送信機、５１…受信機
【図１】
2017087443.tif 000003
【図２】
2017087443.tif 000004
【図３】
2017087443.tif 000005
【図４】
2017087443.tif 000006
【図５】
2017087443.tif 000007
【図６】
2017087443.tif 000008